(57)【特許請求の範囲】
【請求項１】
同一行程内に複数の接着剤塗布装置を有し、上記同一行程内の複数の接着剤塗布装置が同時に又は異なる時期に、それぞれ独立して帯状薄鋼板の同一面の異なる部分に接着剤を塗布することが可能である接着剤塗布装置において、複数の接着剤塗布装置が内側接着剤塗布装置と外側接着剤塗布装置を有し、上記内側接着剤塗布装置は外側接着剤塗布装置によって取り囲まれるように配置されていることを特徴とする接着剤塗布装置。
【請求項２】
内側接着剤塗布装置と外側接着剤塗布装置をそれぞれ独立して昇降させるための昇降手段を有することを特徴とする請求項１に記載の接着剤塗布装置。
【請求項３】
接着剤塗布装置は帯状薄鋼板を所定形状に打ち抜く金型の直前に設置されていることを特徴とする請求項１または２に記載の接着剤塗布装置。
【請求項４】
接着剤塗布装置の昇降動作に伴う衝撃を緩和するためのショックアブソーバを有することを特徴とする請求項２または３に記載の接着剤塗布装置。
【請求項５】
帯状薄鋼板に接着剤が塗布されたかどうかを感知するためのセンサを有することを特徴とする請求項１ないし４のいずれかに記載の接着剤塗布装置。
【請求項６】
接着剤の温度上昇手段を有することを特徴とする請求項１ないし５のいずれかに記載の接着剤塗布装置。
【発明の詳細な説明】
【技術分野】
【０００１】
本発明は、接着剤塗付装置及びこの接着剤塗付装置を有する積層鉄心の製造装置並びにその製造方法に関する。
【０００２】
本発明は、接着剤塗付装置及びこの接着剤塗付装置を有する積層鉄心の製造装置並びにその製造方法に関し、特に、帯状薄鋼板に接着剤を塗布するための接着剤塗付装置、及び接着剤塗付装置によって接着剤が塗布された帯状薄鋼板から所定形状に打ち抜かれた鉄心薄板を積層する積層鉄心の製造装置並びにその製造方法に関する。
【背景技術】
【０００３】
回転電機用の積層鉄心は一般に、電磁鋼板のフープ材（帯状薄鋼板）を素材として、その帯状薄鋼板を順次金型装置に送給することにより製造される。金型装置では、帯状薄鋼板に対してパイロット穴やスロット部、内径ティース等の所定の打ち抜き加工が順次行われて鉄心薄板が連続的にかたちづくられ、打ち抜き後の鉄心薄板を所定の枚数積層して固着させることにより積層鉄心が製造される。鉄心薄板の固着には、各鉄心薄板にかしめ用の凹凸を形成しておき、積層時に圧着させてかしめ結合させる積層かしめ法や、積層後にレーザ溶接等によって鉄心薄板を結合する積層溶接法も存在するが、結合部位の磁気特性の劣化等が生じ難いことから、金型装置内で帯状薄鋼板の表面に接着剤を塗布し、打ち抜きと同時に鉄心薄板を積層して接着させる積層接着法が広く提案されている。
【０００４】
例えば、特許文献１には、図１０に示すように、前半打ち抜き工程では、フープ材Ｗに対してパイロット穴Ｐの打抜き加工（１）、内形下穴ｄ１の打抜き加工（２）、スロット部Ｓの打抜き加工（３）、内形ｄの打抜き加工（４）、内形溝（ティース）ｍの打抜き加工（５）が順次施され、これにより外形を除く鉄心薄板３１の基本形状が形成され、次いで、接着剤塗付工程（６）、外形打抜き固定（７）、回転積層工程（８）及び加熱工程（９）が順次実施される、積層鉄心の製造装置が記載されている。この積層鉄心の製造装置では、図１１に示すように、積層鉄心３２が複数の断面形状を有する場合、積層鉄心３２における塗布対象面積に必要とされる接着力に応じて適量の接着剤を塗布することができるように、図１２に示すように、第１〜第３の接着剤貯留溝３３〜３５のうち、第２の接着剤貯留溝３４に対する接着剤の供給を中断することが記載されている。
【０００５】
また、特許文献２には、圧延された電磁鋼板を打ち抜くことにより形成される複数のローターコアを積層してかしめることにより固定してローターを得、圧延された電磁鋼板を打ち抜くことにより形成される複数のステーターコアを積層してかしめることにより固定してステーター得、これらローターとステーターを備えるモータ製造装置が記載されている。
【０００６】
さらに、特許文献３には、図１４に示すように、パイロット穴の打抜き加工（１）、内径下穴および外形溝用小穴の打ち抜き加工（２）、スロット部の打抜き加工（３）、内径の打抜き加工（４）、内径溝（ティース）の打抜き加工（５）が順次施され、これにより外形を除く鉄心薄板の基本形状が形成され、次いで、接着剤塗付工程（６）、外形打抜き固定（７）、回転積層工程（８）及び加熱工程（９）が順次実施される、積層鉄心の製造装置が記載されている。６１は上金型、６２は下金型、６３は積層鉄心であり、この積層鉄心の製造装置は、帯状薄鋼板６４の下面に接着剤を塗布するために、下金型６２内に昇降装置を内蔵した接着剤塗付装置６５を有している。
【先行技術文献】
【特許文献】
【０００７】
【特許文献１】国際公開第２０１６／０７１９４３３号パンフレット
【特許文献２】特開２００５−６５４７９号公報
【特許文献３】特開２００９−１２４８２８号公報
【発明の概要】
【発明が解決しようとする課題】
【０００８】
しかし、特許文献１に記載された積層鉄心の製造装置では、接着剤の供給を中断又は再開してから実際に接着剤の供給が停止又は開始されるまでに時間遅れがあり、塗布が不要な部分に接着剤が付着したり、逆に塗布が必要な部分で接着剤が不足することがあり、さらに接着剤の無駄が生じる可能性がある。
【０００９】
また、特許文献２に記載されたモータ製造装置において、かしめではなく接着により複数のロータコアと複数のステータコアを積層する場合、図１３に示すような構成になる。すなわち、図１３に示すように、帯状薄鋼板４１からブランク４２を打ち抜いた後、送りピッチＰで帯状薄鋼板４１を矢示４３方向に送り、ローター用接着剤を吐出する吐出ユニット４４によって帯状薄鋼板４１の下面に接着剤を塗布した後、ローター打ち抜き積層工程４５でローター４６を打ち抜いて積層し、さらに、ステーター用開口４７を打ち抜いた後、ステーター用接着剤を吐出する吐出ユニット４８によって帯状薄鋼板４１の下面に接着剤を塗布した後、ステーター打ち抜き積層工程４９でステーター５０を打ち抜いて積層するような構成となる。ここで、例えばローター４６はステーター５０の積層厚みの約半分の厚みまで積層したブロックを作製した後、そのブロックを任意の角度回転させ、同じくステーター５０の積層厚みの約半分の厚みまで積層したブロックと接着しようとした場合、帯状薄鋼板に対する接着剤塗付をしないサイクルがステーターの積層厚みの約半分の時間毎に発生する。そのために、ローターとステーターでは、帯状薄鋼板に対する接着剤塗付をしないサイクルが異なる接着剤塗付装置をそれぞれに設ける必要がある。
【００１０】
さらに、特許文献３に記載された積層鉄心の製造装置では、下金型内に昇降装置を内蔵した接着剤塗付装置を備えるために、金型自体を大型化させ、設備メンテナンスコストの上昇を招く恐れがある。
【００１１】
本発明は、従来技術の前記問題点に鑑みてこれを改良したものであって、設備コストの上昇を招くことなく、必要にして充分な量の接着剤を帯状薄鋼板に塗布することができる接着剤塗付装置及びこの接着剤塗付装置を有する積層鉄心の製造装置並びにその製造方法を提供することを目的とするものである。
【課題を解決するための手段】
【００１２】
前記課題を解決するために本願第一発明の接着剤塗付装置は、同一工程内に複数の接着剤塗付装置を有し、上記同一工程内の複数の接着剤塗付装置がそれぞれ独立して帯状薄鋼板に接着剤を塗付することが可能であることを特徴とする。
【００１３】
本願第二発明は、本願第一発明において、複数の接着剤塗付装置が内側接着剤塗付装置と外側接着剤塗付装置を有することを特徴とする。
【００１４】
本願第三発明は、本願第一発明において、複数の接着剤塗付装置をそれぞれ独立して昇降させるための昇降手段を有することを特徴とする。
【００１５】
本願第四発明は、本願第二発明において、内側接着剤塗付装置と外側接着剤塗付装置をそれぞれ独立して昇降させるための昇降手段を有することを特徴とする。
【００１６】
本願第五発明は、本願第一ないし第四のいずれかの発明において、接着剤塗付装置が備える接着剤の吐出孔の先端は、帯状薄鋼板が接着剤塗付装置と当接する面に対して内側に離間していることを特徴とする。
【００１７】
本願第六発明は、本願第一ないし第五のいずれかの発明において、金型以外の場所に接着剤塗付装置を有することを特徴とする。
【００１８】
本願第七発明は、本願第六発明において、帯状薄鋼板を昇降させるための昇降手段を有することを特徴とする。
【００１９】
本願第八発明は、本願第三ないし第七のいずれかの発明において、接着剤塗付射装置の昇降動作に伴う衝撃を緩和するためのショックアブソーバを有することを特徴とする。
【００２０】
本願第九発明は、本願第一ないし第八のいずれかの発明において、帯状薄鋼板に接着剤が塗布されたかどうかを感知するためのセンサを有することを特徴とする。
【００２１】
本願第十発明は、本願第一ないし第九のいずれかの発明において、接着剤の温度上昇手段を有することを特徴とする。
【００２２】
本願第十一発明の積層鉄心の製造装置は、それぞれ独立して帯状薄鋼板に接着剤を塗付することが可能な同一工程内の複数の接着剤塗付装置と、接着剤が塗布された帯状薄鋼板を所定の形状に打ち抜くことが可能な同一工程内の複数の金型を有することを特徴とする。
【００２３】
本願第十二発明の積層鉄心の製造装置は、本願第十一発明において、同一工程内の複数の金型毎に接着剤が塗布された帯状薄鋼板の打ち抜き後の積層厚みが異なることを特徴とする。
【００２４】
本願第十三発明の積層鉄心の製造方法は、接着剤塗布装置によって接着剤が塗布された帯状薄鋼板を金型において所定形状に打ち抜くことによって得た鉄心を積層する積層鉄心の製造方法であって、それぞれ独立して帯状薄鋼板に接着剤を塗付することが可能な同一工程内の複数の接着剤塗付装置と、接着剤が塗布された帯状薄鋼板を所定形状に打ち抜くことが可能な金型とを有し、同一工程内の複数の接着剤塗布装置から選択された接着剤塗布装置によって接着剤が塗布された帯状薄鋼板を金型において所定形状に打ち抜いた後、帯状薄鋼板を所定形状に打ち抜くことによって得られる鉄心を積層することを特徴とする。
【発明の効果】
【００２５】
本願第一発明、第二発明、第三発明及び第四発明によれば、複数の接着剤塗付装置を同一工程内にまとめることにより装置の小型化を図り、複数の接着剤塗付装置を必要に応じて切り替えることにより、必要にして充分な量の接着剤を帯状薄鋼板に塗布することができる。本願第五発明によれば、接着剤塗付装置が上昇する距離に誤差が生じたとしても、必要にして充分な量の接着剤を帯状薄鋼板に塗布することができる。本願第六発明によれば、金型内に接着剤塗付装置を有する場合に比べて金型の小型化を図れる上、設備メンテナンスがし易くなる。また、接着剤の供給装置を接着剤塗付装置の近くに配置することができるので、接着剤の流路が短くなり、接着剤の供給と停止の応答時間が短縮されるので、接着剤の無駄が少なくなる。本願第七発明によれば、同一工程内の複数の接着剤塗付装置を同時に塗布しないか又はいずれかで塗布するように切り替えて、必要にして充分な量の接着剤を帯状薄鋼板に塗布することができる。本願第八発明によれば、適切な設備保全を図ることができる。本願第九発明によれば、帯状薄鋼板に接着剤が塗布されたかどうかを確実に知り、必要な量の接着剤が塗布されていない場合に適切な対策をとることができる。本願第十発明によれば、接着剤の流動性を向上することができるので、帯状薄鋼板への塗布がスムーズに進む。本願第十一発明、第十二発明及び第十三発明によれば、同一工程内の複数の金型毎に、接着剤塗付装置を塗布するように切り替えるか又は塗布しないように切り替えても、帯状薄鋼板への安定的な接着剤の塗布を実現し、積層鉄心の生産性向上を図ることができる。
【図面の簡単な説明】
【００２６】
【図１】図１は、本発明の接着剤塗布装置及びその前後設備を含む積層鉄心の製造装置の一実施形態の概略構成図である。
【図２】図２は、本発明の接着剤塗布装置の一実施形態の斜視図である。
【図３】図３は、本発明の接着剤塗布装置の一実施形態の平面図である。
【図４】図４は、本発明の接着剤塗布装置の一実施形態の側面図である。
【図５】図５は、図４から一部の構成部材を除いた側面図である。
【図６】図６は、本発明の接着剤塗布装置の一実施形態の正面図である。
【図７】図７は、図６から一部の構成部材を除いた正面図である。
【図８】図８は、本発明の接着剤塗布装置における接着剤の流路の一実施形態を示す平面図である。
【図９】図９は、本発明の接着剤塗布装置における接着剤の流路の別の実施形態を示す平面図である。
【図１０】図１０は、特許文献１に記載された積層鉄心の製造装置の概略レイアウトを示す図である。
【図１１】図１１は、特許文献１に記載された積層鉄心の斜視図である。
【図１２】図１２は、特許文献１に記載された接着剤塗付装置の平面図である。
【図１３】図１３は、特許文献２に記載されたモータ製造装置において、かしめではなく接着により複数のロータコアと複数のステータコアを積層する場合の概略レイアウトを示す図である。
【図１４】図１４は、特許文献３に記載された積層鉄心の製造装置の概略レイアウトを示す図である。
【発明を実施するための形態】
【００２７】
以下に、本発明の実施の形態を添付図面に基づいて説明するが、本発明の技術的範囲を逸脱しない範囲において、様々な変形や修正が可能である。
【００２８】
図１は、本発明の接着剤塗布装置及びその前後設備を含む積層鉄心の製造装置の一実施形態の概略構成図である。図１において、１は帯状薄鋼板２が巻かれたコイル材、３は内側接着剤塗布装置、４は外側接着剤塗布装置、５は内側接着剤塗布装置の昇降手段、６は外側接着剤塗布装置の昇降手段、７は上金型、８は下金型である。内側接着剤塗布装置３又は外側接着剤塗布装置４は、それぞれ昇降手段５又は６よって独立して昇降することが可能である。図１に示すように、内側接着剤塗布装置３と外側接着剤塗布装置４は上下金型の直前に設置されている。コイル材１から送り出された帯状薄鋼板２の下面に内側接着剤塗布装置３と外側接着剤塗布装置４によって接着剤が塗布された後、帯状薄鋼板２は上金型７と下金型８、及び必要に応じて後続する上金型と下金型で所定の形状に打ち抜かれて、矢示Ａ方向に送られる。
【００２９】
図２は、本発明の接着剤塗布装置の一実施形態の斜視図である。図２において、１０は内側接着剤塗布装置３の円弧形状の溝状塗布部、１１は外側接着剤塗布装置４の円弧形状の溝状塗布部である。円弧形状の溝状塗布部１０、内側の円形部１０ａ及び外側の環状部１０ｂは、後記する昇降手段によって一体となって昇降することが可能である。円弧形状の溝状塗布部１１は、内側用とは異なる昇降手段によって昇降することが可能である。１２は、帯状薄鋼板に接着剤が塗布されたかどうかを感知するための複数個のレーザセンサである。１３は、内側接着剤塗付装置と外側接着剤塗付装置の昇降手段の昇降動作を制御するための電磁弁である。１４は、接着剤の温度を上昇させるためのカートリッジヒータである。１５は円弧形状の溝状塗布部１０、内側の円形部１０ａ及び外側の環状部１０ｂを含む内側接着剤塗布装置３の温度を感知するための温度センサ、１６は円弧形状の溝状塗布部１１を含む外側接着剤塗布装置４の温度を感知するための温度センサである。
【００３０】
図３は、本発明の接着剤塗布装置の一実施形態の平面図である。１７は内側接着剤塗布装置３の円弧形状の溝状塗布部１０に接着剤を供給するための供給口、１８は外側接着剤塗布装置４の円弧形状の溝状塗布部１１に接着剤を供給するための供給口である。これらの供給口１７と１８は脱着可能である。
【００３１】
図４は、本発明の接着剤塗布装置の一実施形態の側面図である。１９は、円弧形状の溝状塗布部１１を含む外側接着剤塗布装置４の昇降動作に伴う衝撃を緩和するためのショックアブソーバ、２０は、円弧形状の溝状塗布部１０、内側の円形部１０ａ及び外側の環状部１０ｂを含む内側接着剤塗布装置３の昇降動作に伴う衝撃を緩和するためのショックアブソーバである。
【００３２】
図６は、本発明の接着剤塗布装置の一実施形態の正面図である。２１は、円弧形状の溝状塗布部１１を含む外側接着剤塗布装置４を昇降させるためのエアシリンダ、２２は、円弧形状の溝状塗布部１０、内側の円形部１０ａ及び外側の環状部１０ｂを含む内側接着剤塗布装置３を昇降させるためのエアシリンダである。２３は、エアシリンダー２１の上下限を感知するためのフォトマイクロセンサ、２４は、エアシリンダー２２の上下限を感知するためのフォトマイクロセンサである。なお、エアシリンダ２１とエアシリンダ２２は、それぞれ複数個備えられている。
【００３３】
図８は、本発明の接着剤塗布装置における接着剤の流路の一実施形態を示す平面図であり、この場合の流路２５の幅ｄは全長にわたって同じであり、この流路２５を通って、図３に示す円弧形状の溝状塗布部１０と１１のそれぞれの吐出孔２６と２７から接着剤が吐出される。図９は、本発明の接着剤塗布装置における接着剤の流路の別の実施形態を示す平面図であり、この場合の流路２８の幅ｗは先端に向けて徐々に小さくなっている。流路の長さが比較的長い場合、流路の幅が先端に向けて小さくなることは、接着剤を先端まで送り出す上で有利である。図３において、円弧形状の溝状塗布部１０と１１は水平面から少しへこんだ位置にある。このように、円弧形状の溝状塗布部１０と１１が凹状にへこんでいると、吐出孔２６と２７から吐出される接着剤が直ちに薄鋼板（図１の符号２参照）の下面に塗布されず、吐出孔２６と２７上に盛り上がった、ほぼ一定量の接着剤を帯状薄鋼板の下面に塗布することができるという利点がある。又、凹状のへこみは必ずしも溝状である必要はなく、図８のように、吐出孔２６と２７毎に座ぐり状に設けてもよい。
【００３４】
上記のように構成される接着剤塗布装置を用いて帯状薄鋼板に接着剤を塗布する方法について説明する。
帯状薄鋼板に対して途切れることなく接着剤が塗布されるのではなく、図１において、上金型７を下金型８に向かって下降させて帯状薄鋼板２を所定の形状に打ち抜くタイミングに同期させて、帯状薄鋼板２に対して接着剤が塗布される。すなわち、図１に示すように、打ち抜き以外のタイミングでは、帯状薄鋼板２と、内側接着剤塗付装置３の上面、外側接着剤塗付装置４の上面、架台９ａ、９ｂの上面および下金型８の上面との間には所定の間隔（数ｍｍ程度）が設けられている。そして、図１において、帯状薄鋼板２を所定の形状に打ち抜くタイミングで、上金型７が下金型８に向かって下降することで帯状薄鋼板２は下金型８側に向けて押圧される。内側接着剤塗付装置３と外側接着剤塗付装置４はそれぞれ独立して昇降することが可能であるから、帯状薄鋼板２の下面を内側接着剤塗付装置３又は外側接着剤塗付装置４のいずれかの上面に当接させることができる。そして、接着剤が貯留されているタンク（図示せず）から所定の圧力で接着剤が内側接着剤塗付装置３と外側接着剤塗付装置４に常時供給されているので、帯状薄鋼板２の下面に接着剤を塗布することができる。
【００３５】
上記のようにして、帯状薄鋼板２の下面に接着剤が塗布された後、帯状薄鋼板２は上金型７と下金型８、及び必要に応じて後続する上金型と下金型で所定の形状に打ち抜かれ、所定の形状に打ち抜かれることによって得られる鉄心は下金型８又は後続する下金型内に積層される。この積層鉄心が所定枚数に達すると、下金型８又は後続する下金型から排出され、排出された積層鉄心には、加熱等の所定の後処理が施された後、組み立てられる。例えば、図１において、上金型７を下金型８に向かって下降させて帯状薄鋼板２を所定の形状に打ち抜くタイミングでは内側接着剤塗付装置３のみを上昇させて帯状薄鋼板２の下面に内側接着剤塗付装置３によって接着剤を塗布し、この部分を上金型７と下金型８で所定の形状に打ち抜いて下金型８内に積層する。そして、上金型７と下金型８に後続する上金型と下金型において上金型を下金型に向かって下降させて帯状薄鋼板２を所定の形状に打ち抜くタイミングでは外側接着剤塗付装置４のみを上昇させて帯状薄鋼板２の下面に外側接着剤塗付装置４によって接着剤を塗布し、この部分を上金型７と下金型８に後続する上金型と下金型において所定の形状に打ち抜いて下金型内に積層する。
【００３６】
上記のように、接着剤が貯留されているタンク（図示せず）から所定の圧力で供給される接着剤は図３に示す供給口１７と１８に到達し、内側接着剤塗布装置３の円弧形状の溝状塗布部１０の吐出孔２６及び外側接着剤塗布装置４の円弧形状の溝状塗布部１１の吐出孔２７から帯状薄鋼板の下面に塗布される。円弧形状の溝状塗布部１０、内側の円形部１０ａ及び外側の環状部１０ｂは、後記する昇降手段によって一体となって昇降することが可能であり、円弧形状の溝状塗布部１１は、内側用とは異なる昇降手段によって昇降することが可能である。このように、本発明においては、内側接着剤塗布装置３と外側接着剤塗布装置４を１つの設備の中に組み込んで、各々を独立して昇降させることができるので、図１３の積層コア製造設備に比べて、接着剤塗付装置、金型及び積層鉄心製造装置を小型化できるだけでなく、全体設備構成がシンプルになり、設備コストの大幅な低減を図ることができる。
【００３７】
具体的には、内側接着剤塗布装置３の円弧形状の溝状塗布部１０、内側の円形部１０ａ及び外側の環状部１０ｂは、図６に示すエアシリンダ２２によって昇降することが可能であり、外側接着剤塗布装置４の円弧形状の溝状塗布部１１は、図６に示すエアシリンダ２１によって昇降することが可能である。
尚、図１１のように積層コアを製造する場合であっても、複数の接着剤塗付装置を必要に応じて切り替えることにより、必要にして充分な量の接着剤を帯状薄鋼板に塗布することができる。さらに本発明は、同心形状の積層コアだけでなく、円周方向に分割した積層コアなどに対しても適用することができる。
【００３９】
エアシリンダ２１と２２の作動は図２に示す電磁弁１３によって制御され、エアシリンダの昇降動作の上下限は図６に示すフォトマイクロセンサ２３と２４によって感知されるが、本発明では、図４に示すショックアブソーバ１９と２０を備えているので、これらの昇降動作に伴う各設備に対する衝撃を緩和し、衝撃による振動が収束する時間を短縮することができる。
【００４０】
さらに、本発明は、図２に示すように、帯状薄鋼板に接着剤が塗布されたかどうかを感知するための複数個のレーザセンサ１２を備えている。そこで、例えば、帯状薄鋼板に接着剤が塗布されていない箇所があれば、レーザセンサ１２で感知した情報を接着剤が貯留されているタンク（図示せず）にフィードバックすることにより、内側接着剤塗付装置３と外側接着剤塗付装置４への接着剤の供給を中断して、点検・修理等の必要な措置を講ずることができる。
【００４１】
図２において、１４は、接着剤の温度を上昇させるためのカートリッジヒータ１４は図示しない電源と接続されており、カートリッジヒータ１４で接着剤を昇温することにより接着剤の流動性を向上させ、図３に示す吐出孔２６と２７から安定して接着剤を吐出することができる。また、温度センサ１５と１６を有するので、設備の異常な温度上昇を感知して、必要に応じてカートリッジヒータ１４の稼働個数を調整することができる。内側接着剤塗付装置３と外側接着剤塗付装置４は上金型７と下金型８の外に設けられているので、カートリッジヒータ１４による昇温の影響が金型装置に及んだり、逆に金型装置の温度変化が接着剤の流動性に影響を及ぼすことはない。
【産業上の利用可能性】
【００４２】
本発明の接着剤塗付装置は、ステップモータやモータコアのための積層鉄心用の帯状薄鋼板に適用可能である。
【符号の説明】
【００４３】
１  コイル材
２  帯状薄鋼板
３  内側接着剤塗布装置
４  外側接着剤塗布装置
５  内側接着剤塗布装置の昇降手段
６  外側接着剤塗布装置の昇降手段
７  上金型
８  下金型
９ａ、９ｂ  架台
１０  円弧形状の溝状塗布部
１０ａ  内側の円形部
１０ｂ  外側の環状部
１１  円弧形状の溝状塗布部
１２  レーザセンサ
１３  電磁弁
１４  カートリッジヒータ
１５、１６  温度センサ
１７、１８  接着剤供給口
１９、２０  ショックアブソーバ
２１、２２  エアシリンダ
２３、２４  フォトマイクロセンサ
２５、２８  流路
２６、２７  吐出孔
【要約】      （修正有）【課題】設備コストの上昇を招くことなく、必要にして充分な量の接着剤を帯状薄鋼板に塗布することができる接着剤塗付装置及びこの接着剤塗付装置を有する積層鉄心の製造装置並びにその製造方法を提供する。【解決手段】内側接着剤塗付装置３と外側接着剤塗付装置４を有し、内側接着剤塗付装置３と外側接着剤塗付装置４がそれぞれ独立して帯状薄鋼板２に接着剤を塗付することが可能である。【選択図】図１【図１】
0006831931.tif 000002
【図２】
0006831931.tif 000003
【図３】
0006831931.tif 000004
【図４】
0006831931.tif 000005
【図５】
0006831931.tif 000006
【図６】
0006831931.tif 000007
【図７】
0006831931.tif 000008
【図８】
0006831931.tif 000009
【図９】
0006831931.tif 000010
【図１０】
0006831931.tif 000011
【図１１】
0006831931.tif 000012
【図１２】
0006831931.tif 000013
【図１３】
0006831931.tif 000014
【図１４】
0006831931.tif 000015